(57)【要約】インターネットあるいは携帯電話ポータル上で登録されたライセンスナンバーまたは数、英数字、またはバーコードを有する、ロックを有するロック可能なループの組み合わせであって、窃盗か犯罪の力および／または他の小さな物理的な知覚の影響によって破壊された時、アラームを発する−スポーク、ハブ、シフトレバーなどを介して自転車またはバイク；スキーバインディング；キックボード；自動車；ボート；飛行機；物的財産；に使用することができ、電気的なスイッチング装置を接続または切断する電気回路を装備することができ、発信機および／またはチップを有することができる。これは、インターネット中で、あるいは携帯電話ポータルあるいは他のデータベースに登録されたナンバーに信号を送り、たとえばねじの頭に一体化される。【特許請求の範囲】
【請求項１】
ループのための認可の申請、決定、指示、位置、ロックおよび盗難防止システムのための装置およびプロセス。これは故意に、または故意でなくロック、ロック機構、暗号化機構によりロックされるか暗号化することができる。または１以上のロック可能なまたは暗号化可能なループが１または複数のロックでロックまたは暗号化することができ、それぞれのループは（ユニットとしても）１以上の、１時的な、変更可能な、またはコード化されたバイオメトリカルな、個々のデジタル的に暗号化できる数値、英数字、自動番号あるいはバーコードを有する。それはインターネット、別の（個人、社会、政府、または警察）ネットワークあるいは別のデータバンクまたは携帯電話ポータル上に登録される。また相互に関連する複数の数値のインデックスを有することもできる。窃盗、犯罪あるいは無許可か、望まれない（犯罪者）による影響の場合には、アラーム）信号を引き起こす。これは、（モータ付き）乗り物あるいは自転車（スポーク、ハブ、ギヤー、変速機などにより）、キックボード、スキーのバインディング、自動車、ボート、航空機、容器、ボックス、およびカセット、（ハンド）ガン、コンピューター、携帯電話、ラップトップ、テレビ、プロジェクター、（電子）機器、さらに特に、ケーブル、時計、衣類、貞操帯、ベルト、人体、動物、および植物などに、チェーンに取り付けたり、またはそれ自身をロックしたりすることができ、電気的な（スイッチ）装置に接続又は切断する電気回路を取り付けることができる。これは１以上の発信機、トランスポンダ、発信機、ＳＩＭカードあるいはラジオチップを有することができ、インターネット上で登録されたナンバーに信号を送るか、インターネットあるいは携帯電話／ＰＤＡから信号を受け取ることができる。たとえば、安全タイ／リンクなどのためのセキュリティーシステムとして、これはねじの頭、ナット、爪、針、スレッド、取っ手に一体化することができる。それはループの上部および／または下部に提供され、窃盗、横領、データの保護のためにロックされ、ループの破壊の後、もはや上部は、最下部部分と連結していない。モータはもはやインストールすることができないか、あるいはシャシーから取り除くことができない。その場合には、ループは、光電子的障壁、または磁気あるいは電位フィールドを介する物質または情報の回路であり、局所的、一時的、または法的な領域、ゾーン、またはこれらのコンビネーションを含む。
【請求項２】
ループの破壊およびトランスポンダ（携帯電話ＳＩＭカード）または電力計への電力供給の停止によりアラームを始動する。ループは明るい輝くコーティングを有している。
【請求項３】
ループのナンバーは１ｍｍ、０．５ｍｍあるいは０．３ｍｍ、あるいは０．１ｍｍあるいは０．０５ｍｍ、あるいは０．０３ｍｍあるいは０．００１ｍｍのレーザー（貫通してあるいはしないで）で刻印され、またはロック・ループ（商標）シンボルによって明瞭に識別される。
【請求項４】
ループはロックされまたは解放され、連続的にまたは平行してロックされ／暗号化され、コード化され、および／またはループを有するロックまたはロックと（ねじおよび／またはナットと）組み合わせて配置される。
【請求項５】
ロックはマウントされることができ、および／またはループの上で、ループの中で、ループで、ループのために、ループの代わりに使用することができ、また逆にすることもできる。ナンバーはそれら自身ロックするか、あるいはコード化されるか、ブロックされるか、目に見えなくなることができる。
【請求項６】
ねじ、リベット、ケーブルなどを備えた異なる製品へのロック・ループＤＳＳの固定は、常に、１ｃｍまたは２ｃｍなどの側部の空間を備えた正方形の４ｘ４か３Ｄ接続システムで起こる。
【請求項７】
ナンバー、ループ、トランスポンダーはすべて、技術的に、経済的にまたは命名のような他の方法で分類され、相互に干渉せず、交わらず、互いに損なわないようにされる。
【請求項８】
上部および／または下部に少なくとも１つのループが提供され、これは窃盗防止手段としてロックによりロックされ、上部はもはや下部と連結されず、または下部と分離され、または何かがそれらの間に置かれ、または逆に余分にされる。
【請求項９】
ループはねじ、ナット、爪、針で、スレッド、ボタンおよびナットでロックするか開くことができる。ループあるいはねじ頭はついで他のループ、キャップ、または機械的もしくは電気的にロックされる。
【請求項１０】
ナンバーは変化することができ、年代記号と結合するかあるいはプラグインされ、またはコードと一緒の場合のみ認識可能にされ、内部又は外部のアルゴリズムにより生成され又は存在することができる。ＥＰＣタグ（ミニ・マイクロチップ）を保持することができる腕時計の文字盤あるいは他の指標システムにおいて、そのような自動ナンバーは統合するために最も簡単である。高価な製品あるいは部品（例えば高価な時計）の場合には、ＥＰＣタグは、最も高価な部分あるいはいくつかの部分へ正確に統合することができる。
【請求項１１】
ループおよび／またはロックのロッキング／暗号化については、製品はインターフェースおよび人と結合するか分離することができる。ループ、製品、人などはすべて一方が他方の内部に入る入れ子にすることができる。
【請求項１２】
ループとして、ケーブルを使用することができ、織られた／縛られ、絶縁された同軸ケーブルであることができる。しかし、非常に小さなスペースの短い回路が可能でなく、ケーブルは安全ケーブルのようにしっかりと安定化され、分離する／分解するのが難しいようにされる。
【請求項１３】
エレクトロニクス／ラジオ
静止している（電子装置、ハウス、植物）製品については、ケーブルはループ（例えばＥＰＣタグ）中の電気回路として設置される。製品（ケーブル）は再びロックをするか、または電子的にロック可能である。またトランスポンダまたは（ＳＩＭカード）ラジオ・インターフェースと配置されることができる。
【請求項１４】
ＧＳＭ  ＵＭＴＳラジオフリーゾーン地帯（地下ガレージ、トンネル、山脈、都市、森林）では、Ｗ−ＬＡＮ（アクセス・ポイント）、Ｂｌｕｅｔｏｏｔｈ、ワイヤレス（ローカル）ループあるいはＣＢラジオネットは、ラジオ・インターフェースのためのカバーを引き受け、アラームを局所的に、中心部に、または携帯電話に引き起こす。
【請求項１５】
（ＧＰＳ（ＧＳＭなど））ラジオ受信に必要なアンテナは、ループで統合され、携帯電話の内側または外側にブラグされるか、または可視的または視認不能な静止物とされ非破壊的または破壊的に同定され、ループかナンバーで統合された。
【請求項１６】
ラジオ・インターフェースはいくつかのループを有している。あるいは、ループは、正確に定義可能な電流あるいは回路を計画することを可能にするように配列されるいくつかのラジオ・インターフェースを有している。（１つの技術でではなく）いくつの、そして、どんな種類のラジオ・インターフェースが統合されるかを言うことができる。フィードにもついて同じことが言える。
【請求項１７】
ナンバー、ロックおよびループ、発信機およびチップの配置は、非常に容易に構築することができ、それらは損害なしで何年も機能するが、非常に小さな損傷がそれを破壊するか、アラームを引き起こす。この方法におけるループ、ナンバー、電気回路は、例えば腕時計の文字盤のようなナンバーのユニットを形成することができる。ロックはそれ自体そのようなユニットを形成し、並びにループ、たとえば、ループおよびナンバーを有するねじ、ナット、爪、針、スレッド、ボタン、ロッド、リベット、リング、プレート、ボールまたはボックスと配置される。
【請求項１８】
ロックあるいはボール、ボックスの場合には、後者も、さらに、通常のキーシステムで、無線伝送（電子的に）ありで、あるいは無線伝送なしでロックすることができる。ロック、特にボールあるいはボックスから、ケーブルまたはループが現れ、ボールまたはボックスの内部に保護されたトランスポンダ、発信機あるいは発信機を有する。ボックスかボールはそれ自体いくつかのループから形成されるか、あるいはそれらで保護されることがある。
【請求項１９】
ワイヤーのまわりの絶縁を備えた、個々のケーブルあるいはループは、ねじるか、あるいは（同軸ケーブルのように）織ってあることができ、その結果発信機またはセーフティボックスケーブルの出口と入り口の間で、ケーブル自体へのアクセスは不能である。発信機は、織ってあるケーブルの内部に統合することができる。また、個々のケーブルはアンテナであることができる。
【請求項２０】
ループとナンバーのロッキングは、モニター、ラジオ、テレビ、Ｗ−ＬＡＮ、電話などに使用することができる。他のものあるいは同じく暗号化され、暗号化されていない信号を受け取るか送信するレシーバーおよび発信機に使用することもできる。信号は、別々に、個々にあるいはともに、あるいは組み合わせて送信されることができる。
【請求項２１】
他のループおよび回路を挿入するかあるいはロックされた一部分あるいはボックスへの、あるいは（自動車の）ドアなどのような通路を介してのアクセスを可能にするために、ループ中の電気回路もループなしで、またはループとともに開くことができる。
【請求項２２】
コード暗号化は、外部又は内部の活性なスイッチ可能な、または受動的に常にスイッチがオンにされるアルゴリズムで、特別のハードウェア上で特別のソフトウェアを備えたものによって行うことができる。
【請求項２３】
製品中のトランスポンダからの単純な（電子）接続（ループ）は、さらに、ナンバーを備えた、あるいはそのナンバーのない周縁部に行くことができる。コンピューターあるいはラップトップの場合には、周縁部（ドライブ、プラグ・イン・カード、チップ、冷却機）をすべてカバーすることができ、完全性および／または存在についてテストすることができる。マイクロソフトＰＩＮ識別解決策はこの目的に使用されてもよい。
【請求項２４】
インターネット、ラジオ・インターフェースおよび装置自体に加えて、静止しているＷ−ＬＡＮあるいはＲＦＩＤトランスポンダ装置と同様に携帯電話かモバイルも、ナンバーを貯蔵し処理することができる。
【請求項２５】
ナンバーを備えたループは、さらに電気回路に加えて、情報（回路）（例えば、ロッキング、コード、信号あるいは単なる情報）だけであることができる。例えば、キャリアーが光、音、別の物理的、またはパラ−心理学の媒体によって情報を含んでいることが重要である。例えば、すべての光電子のバリアは光の波長コードでロックすることができる。あるいは、任意の磁気または電気的なポテンシャル場はさらにループを形成することができる。
【請求項２６】
Ｗ−ＬＡＮ、ＧＳＭなどのトランスポンダはＲＦＩＤ−ＥＰＣタグ信号を受け取ることができる。ＲＦＩＤ−ＥＰＣタグはＷ−ＬＡＮ周波数範囲中で受信し送信し、機械的に電子的に、ローカルに、一時的に、法律的にまたはこれらの組み合わせにより、ロックされることがある。これらは暗号化アルゴリズムを備え、またインターネットの上にナンバーを備えたトラッキングまたはレジストレーションの機能を有している。
【請求項２７】
ＥＰＣトランスポンダおよび指紋センサーを備えた携帯電話
暗号化されたコード（ファイアウォール）は、バイオメトリック（ＰＩＮ、指紋、音響信号、虹彩プリント）のコードあるいはこれらのコンビネーションから転送することができる。認識は逆にフィード・バックすることができる。
【請求項２８】
ループまたはナンバーをロックするためのバイオメトリックなコードは、指紋認識のためのセンサー・パッド、および虹彩認識用のセンサー・カメラを有する自動車キー（中央ロック）、携帯電話あるいは他のトランスポンダによって送信することができる。
【請求項２９】
センサー・カメラは顔の瞳孔、虹彩、白目あるいはインストールされたか統合されたＥＰＣタグ、目の上の少なくとも１つのＥＰＣタグに置かれる目、網膜、角膜あるいはレンズ１つあるいは両方を探索する。ＥＰＣタグは、目へ外科的に注入されることができるし、レーザーにより形成されることができる。ＥＰＣタグは、レンズ上にビデオ画像を直接プロジェクトし、目の斑紋へ導かれる配列方向を示すことができる。
【請求項３０】
携帯電話中のカメラはソフトウェアを備えたセンサーを有し、それ自身移動可能な目のようであり、テレビ電話会話の場合にはヘッドセットを中心とし、顔、体あるいは別の所望の視角（例えばインターネット上のナンバーと同様に特別のＥＰＣタグ上）で他の物を中心にする。
【請求項３１】
無線信号（ＧＳＭ、ＣＢ、ＦＭ、ＩＲ、ＵＶ、ＵＨＦなど）によってループおよび／またはロックを備えたロッキング／暗号化を始動する。この場合、認可コードは、インターフェース（ＲＩＦＤトランスポンダ、キーなどを備えた携帯電話）経由で製品に送られる。ラジオ・インターフェース、つまり、携帯電話は、ナンバーを備えた第１の、第２の、第３のなどのループの製品のように存在し、それを有する。インターフェースにおいては、ついで別のインターフェースがインストールされ、ループとして暗号化され、第１のラジオ・インターフェースの存在とともにまたはこれなしで、ロック可能なループなど（例えば、携帯電話と結合したキー）として使用された。すべてのインターフェースおよび製品、あるいはそれらの部分だけは、個々にあるいは本発明のアルゴリズムによって組み合わせられ調節されることができる。キーから、本発明のアルゴリズムによって操作されるか操作されなければならない信号は携帯電話に与えられ、あるいは逆にすることができる。
【請求項３２】
ループを備えたチップ、またはロック可能なＤＳＳは、携帯電話あるいは別のレーダー・サーチ機能中のアバランチサーチング装置、ＥＰＣタグ、ＧＳＭチップあるいはＧＰＳ発信機への方向を示す技術、Ｒｅｃｃｏリフレクター、発信機などを装備しているか組み合わせることができる。これはたとえば、携帯電話、スキー、スノーボード、タイ／リンク、ブーツまたは衣類、あるいは他のすべての製品において可能である。
【請求項３３】
ロック・ループＤＳＳ特徴を備えた製品（ラジオ・インターフェース）は、Ｗ−ＬＡＮ、ＧＳＭ、ＧＰＳあるいは他のすべてのラジオ・チップ（ＣＢ、ウォーキートーキー４４６ＭＨｚ、Ｂａｒｒｙｆｏｘ  ４５７ｋＨｚ）によって送信することができる。個人チャンネルも、ロックされ暗号化されることができる。携帯電話、ウォーキートーキーなどの、多重ラジオ（送受信、またはロケーションおよびロッキング）ユニットもともに融合されることができる。この場合、送信／受信ユニットの任意のコンビネーションを選ぶことができ、ＵＨＦ、ＧＳＭ、Ｂｌｕｅｔｏｏｔｈ、衛星電話、ＤＰＳ、ＤＥＣＴ、固定電話も選択できる。
【請求項３４】
ＵＨＦ、ＧＳＭ、Ｂｌｕｅｔｏｏｔｈ、衛星電話、ＧＰＳ、ＤＥＣＴあるいは固定電話により、会話にもサーチ機能にも、コードの、最も安い、あるいは最良の、個々の望ましい調節あるいはロックをフォワーディングする最も適切な解決法のシーケンス用のハードウェアおよびさらにソフトウェア解決策の両方をラジオ・インターフェースは有する。いくつかのラジオ・インターフェースは互いへのフォワーディングを可能にするためにいくつかのステーションを通って、シリーズとして接続することができる。携帯電話と結合した送受信装置はロック・ループあるいはＥＰＣタグ・チップを検知し、位置検出し、追跡し、処理することができる。
【請求項３５】
これは、いくつかの送受信装置システム（Ｗ−ＬＡＮ、ＧＳＭ、ＵＨＦ、Ｂｌｕｅｔｏｏｔｈなど）で作動する。ロック・ループ・チップあるいはＥＰＣ用のロックまたは認可は、バイオメトリックに、または携帯電話あるいはインターネット―（プラットフォーム）からの他の認可によってガイドされ、与えられる。
【請求項３６】
インターネット上などの同じロックされたナンバーは、中間的に、独立したコンピューター／ラップトップ／ＰＤＡ／携帯電話に転送し、常時インターネット接続をせずに処理することができる。特別のメモリ・キャッシュはＥＰＣタグあるいはＲＡＭキャッシュの動作あるいは相互作用をすべて記録する。また、機能はラジオ・インターフェースで統合される。
【請求項３７】
携帯電話、または他のすべてのＰＤＡなどについては、ナンバーはインターネット・サイト上で管理することができる、たとえば、携帯電話、ＰＤＡ、ラップトップあるいは乗り物上の「フレンドファインダー機能」のためにダウンロードされる。
「フレンドファインダー機能」は、位置検出を許す環境またはある場所でのＥＰＣタグを有する友達／敵／製品、他のタグ、マイクロチップ、テレビジョン送信機またはチャンネルのような発信機あるいはループへの、磁石タイプの方向指示器である。さらにナンバーを備えたループは追跡することができる。すべてを見いだすことができ、個々にロックしてプラグすることができる。さらなる機能は、すべてのＥＰＣタグが定義された距離で、いくつかのラジオ・インターフェースで、およびそのインターフェース経由で追跡されることを可能にする。
【請求項３８】
第４世代ＭＲＧ携帯電話は、追跡およびロックするループ・インターネット信号ラジオを有している。つまり、ＥＰＣタグのように、今日の携帯電話はまだ重要なロックする特徴（それはこれによって、明白に明確にクレームされる）を有していない。さらに、ＧＰＳトランスポンダ装置あるいは太陽電池（材料）はさらにロック可能なループ（インターネット上のナンバーを備えた）を所有することができる。
【請求項３９】
指紋のようなバイオメトリックな要因、虹彩プリント、音声認識パターン、あるいは生物学的、生化学的、生理学的、またはかゲノム的値も同様に、ナンバーおよび／またはループとして用いられることがある。
【請求項４０】
製品中の、製品と組み合わされた、またはそれと一体化された製品、並びにすべてのトランスポンダを備えたロック可能な製品でのＥＰＣタグのロックを解除するかロックするためのナンバーは、機械的、物理的、バイオメトリックスピーチコードおよび／または携帯電話のような認可インターフェースを経由してメモリまたはデータバンクから、人により入力することができる。
【請求項４１】
暗号化されたコード（ファイアウォール）としてのナンバーのバイオメトリックな信号は、直接あるいは間接的にロックされるか、保護されるか、追跡される製品、またはラジオ・インターフェース（携帯電話）に、あるいは両方に同時に入力することができる。
【請求項４２】
すべての製品チップ、ロックされ追跡されるＥＰＣタグのロック・ループ・リストのための単純なメニュー・ガイドは、携帯電話アドレスと同様に、ラジオ・インターフェースあるいは携帯電話で統合される。可視ディスプレイ・センサー上の指紋でガイドされ、１つ以上の同時の指紋および／またはのバイオメトリックな信号で実行される。
【請求項４３】
乗り物あるいはモバイルの製品のためのスタンドアローンな解決策：
開いた（ロック・ループＤＳＳ）ループまたはＥＰＣチップは、乗り物、あるいは工場での乗り物、モータ、ケーブルツリーあるいはラジオ、車輪、トレーラーなどのような他の部分へ、スタンド・アロンの装置として統合される。この場合、しかしながら、自動車所有者／ガレージ・オペレーター自身もスタンド・アロンの装置を自分の乗り物にプラグすることができる。スタンド・アロンの装置は、動作感知器あるいは光電子バリアを有するループおよび／またはラジオロックから発せられるアラーム信号のための送受信装置、およびＤＳＭ、Ｗ−ＬＡＮあるいは他の無線トランスポンダーを有する。乗り物（またそれに接続され、または入れ子にされた他のすべての製品）では、１つ以上のＥＰＣタグが構築されるか、あるいはプラグインされる。ドア、さらにウィンドウ、コンバーティブル・トップ、トレーラーまたは他の部分などに加えて、製品はロックされ追跡されることができる。
【請求項４４】
それらが盗まれない限り、乗り物の中のスタンド・アロンの装置あるいは他のすべての製品中のロック・ループＤＳＳは送信する。この後、所有者による認可の後だけ、泥棒が装置を探索することができず破壊することができないように、装置は短い信号を放出する。ロッキングの場合には、装置が、ＧＳＭ、ＧＰＳおよび他の発信機に位置を検出されることにより位置を登録し、および無許可の移動か中断がループを通過すると、警告信号が送られる。
【請求項４５】
ラジオ装置なしでさえ、乗り物の中のＥＰＣタグは、別の乗り物の中の、道の端にある、あるいは誰か他の人の携帯電話などによる別のラジオ装置によって定義された無線範囲からのループの無許可の破壊または移動の場合の警告信号を引き起こすのに十分である。
【請求項４６】
携帯電話、ＰＤＡあるいはラップトップのような装置のプロセスのコンビネーションは、引き続き独立に互にバイオメトリックな、指紋あるいは音声認識、ナンバーおよび／または他の個々の個人のキー、コードあるいはパスワード認証を、「車のロックと解放」などの機能のために有する。このコマンドは、ＥＰＣタグに、ラジオ・インターフェースか携帯電話のＲＦＩＤ発信機によって送られる。
【請求項４７】
ロック・ループＤＳＳのスタンド・アロンの装置中のソフトウェアは、それを取り巻くＥＰＣからの受信信号をすべて整理し記憶する。すべてのＥＰＣタグの繰り返されたロックによって、これらは集めることができ、それによって、単一の製品を定義する。他のＥＰＣタグとのホモロジー化機能は、含むことも除去することもできる。
【請求項４８】
自転車については、２倍あるいは３倍のループを備えたバックルがフレームに取り付けられ、これはループまたはロックであることができるフレームまたは他の要素（たとえば、ハブ、車軸、リム、座席、ハンドル、ハンドグリップ、ブレーキ、タイヤ））と一体化されることができる。特に、盗難防止システムにおいてハブロックをとりつけることができる。
【請求項４９】
従来の自転車ロック（フォーク、チェーンあるいはケーブル・ロック）は、位置検出とロックの電子施錠のために統合されたＧＳＭ、ＧＰＳあるいはＥＰＣタグ・トランスポンダを有する。自転車あるいは電流が供給されない他のロックおよび製品については、電流の供給は、運動発電機としてのハブかリム、あるいは誘導電流ジェネレーターとしての車輪中の磁気ディスク（例えばディスクブレーキ）に統合される。自転車が運び去られるか、それが破壊された場合には、移動センサーはアラームを鳴らす。電流が切断されるか下がった場合、アラームは鳴る。サドル、車輪、ブレーキなどのようなＥＰＣのタグを装備された構成要素の無許可の移動の場合にはさらにアラームがある。すべてのＧＳＳ、ＧＰＳあるいはＥＰＣタグ・トランスポンダは、製品について個々に組み合わせることができ、指紋センサー・ラジオ・インターフェースあるいはインターネットを介してロックすることができ追跡することができる。
【請求項５０】
モバイル製品（乗り物（スタンドアローン解決策）、自転車、ラップトップ、プロジェクターなど）のために、無線アンテナが、可視的にあるいは非可視的に外部あるいは内部に、プラグされインストールされることができる。受信モジュールとして、ハードウェア・ディスクおよびトランスポンダまたはＳＩＭカードが一緒に又は別個に、２又は複数の段階で、エンコードされたラジオ接続、あるいは無線アンテナまたはアンテナを介して接続される。トランスポンダ、ＳＩＭカード、ディスクおよび無線アンテナは、それ自身暗号化され／互いにロックされる。ラジオと情報のネットを備えた製品中で、特に、ＧＳＭ、Ｗ−ＬＡＮネットへ、トランスポンダを備えたＥＰＣタグへ、トランスポンダへ接続される。
【請求項５１】
（ロック・ループＤＳＳあるいはＥＰＣタグ情報）の、コンピューター、ラップトップ、ＰＤＡ、携帯電話あるいはラジオ・インターフェースを介したインターネット・プラットフォーム上で、すべての他の個人的、バイオメトリック、技術的データなどを入力し、処理し、ロックすることができる。ＬＬラジオ特徴を備えたラップトップ、ＰＤＡ、携帯電話および他のすべての製品については、私からのライセンスを要求される。
【請求項５２】
（ロック・ループＤＳＳあるいはＥＰＣタグ情報）インターネット・プラットフォームなどの操作のために、（ビジネス）国際的なホットラインが顧客の問題および問題に答えて解決するために必要である。様々な組織および機関は、さらにインターネット・プラットフォームへの制限のあるアクセスを受け取ることがある。
【請求項５３】
ＧＳＭネットおよびＧＰＳ衛星へのトランスポンダおよびＥＰＣを備えたトランスポンダを備えたロック・ループＤＳＳは、（自動車）バッテリー、ワイヤーハーネス、ドアあるいは点火（ロック）、エンジンにおけるスタンド・アロンの解決策として直接統合することができる。この場合「スタンドアローン」解決策は、１つ以上のトランスポンダで彼自身（ドライバー、ガレージ機械工）のインストーラーによっていかなる場所にもインストールされプラグされる。ＥＰＣタグは、それら自身、ラジオの操作および機能により、データおよび情報を受け取ることができる。
【請求項５４】
乗り物かラップトップ、あるいはインストール可能な発信機／レシーバーを有する単一のまたはマルチパート製品については、他のタグ（マイクロチップ）を、エンジン、ラジオ、車輪、シャシー機械要素、電子部品中のロック・ループＤＳＳとして組込み、それらが盗まれ、壊されないようにすることができる。このために、様々な発信機／レシーバーが、平行あるいは連続的に製品にインストールされる。すべての発信機／レシーバーは、そのループとナンバーでロックされるかコード化されることができ、それ自身のナンバーをインターネット上に所有することができ、これはついでロックされるかコード化される。
【請求項５５】
乗り物の場合には、ＧＳＭ、ＧＰＳあるいはＥＰＣタグ・トランスポンダが乗り物データ（タンク・レベル、放射などのような）を、路上、交差点、橋、トンネルおよびアウトバーン［４レーン・ハイウェイ］、料金所などにいるレシーバーに正しく報告する。乗り物がゴースト・ドライバとしてアウトバーン上に得る場合、アウトバーン・ドライバーおよび警察に直接通知される。霧、滑りやすい氷、見通しの悪いカーブでの事故、事故交通渋滞などの場合、信号が次の乗り物に送信される。
【請求項５６】
交通渋滞が、車から車へと後方に報告され、（ＧＰＳなどと組み合わされ）道端にあるＲＦＩＤトランスポンダで交通渋滞が解消されるまで管理される。（音声などで）運転の目的地が入力され、インターネットとソフトウェアによって交通渋滞が解消されるまで導かれ、またはそれを防止する。なぜなら、またはそのような多い交通量が直ちに登録され報告されるからである。ＲＦＩＤなど、ブラックボックスは動作をすべて登録する。乗り物の操縦データからの計算のポイントによって、キャッシュ・メモリーを介してブレーキングパスから工事現場、霧、雨、危険なカーブの前の最大速度と自動車の間隔が計算でき、決定され、報告され、防止される。過剰な交通量はドライバーおよび上記の箇所に、法律上拘束力のあるやり方で報告されることができる。
【請求項５７】
安全性／権利／特殊機能
ラジオ・インターフェースあるいは携帯電話は、方向指示器を有するある種のＥＰＣタグを備えた製品のため、ロッキングおよび／または探索機能の両方を有し、それは自分自身のもの／誰か他人の製品、および／または、自分自身の／誰か他人の財産、新しい／古い、安い／高価な、電子的／物理的、人間／動物／物理的、オリジナル／偽造物に適用可能である。ロッキングは、さらに、モバイルの製品、ドアなどと同様に、定常上で携帯電話（インターネットによる）から機能することができる。
【請求項５８】
ラジオインターフェースおよび携帯電話は、ブランド・ラベルかロゴに一体化され、文字またはシンボルで、または底または値段バーコードに記載されたＥＰＣタグを認識し、その場合には、後者はオリジナル／偽造物を単に認識するように機能をロックすることができる。すなわち、ＥＰＣタグを有するすべての消費財および食品の光（ビデオ）、音（音楽）、動き（新鮮度、パッケージング、熱、時間、貯蔵）と組み合わせることができる。すべてのＥＰＣタグはインターネットを介して登録され、安全なサイトによって、ラベル・リストでテストされ、ロックされ追跡されることができる。
【請求項５９】
さらに、ラジオネットは、ＥＰＣタグおよび携帯電話ラジオ・インターフェースを介する情報ネットである。ラジオ・インターフェース（アンテナ）は、それら自身ラジオによって暗号化されて接続されるか、ループを介して暗号化されて接続される。ＥＰＣタグ・ネットについての情報は個人及び会社による第三者、動物または人間のコロニー、製品自身による申請に対してロックすることができ、および／または参照されることができる。ロック・ループ・プロジェクトとの接続からのすべての新しく蓄積された情報のような、製品およびネット操作からの統計は、発明者が所有する。
【請求項６０】
武器、貴金属品、機器、本体、乗り物あるいは航空機部品、ボタン、ティアシール、バンド／リボン、スレッドは、ロック・ループあるいはＥＰＣタグ・チップを含むことができ、それはラジオインターフェースを介して、所有者、特性、物理データ、消耗のチェックのためにインターネット上のナンバーへの信号を与え、満了日付とブロッキングを返す。アイデアと目的は、会社と個人が人の自分自身のもののすべての応用の権利および他のものの義務の単純なチェックをすることを可能とする。
【請求項６１】
ループは１つの製品だけでなくサイト、時点、タイムスパン、所有者、右あるいは義務（例えばデータ保護の理由）についてロック／認可することができる。
【請求項６２】
コイン、紙幣およびクレジットカードも（ロック可能）なループ、マイクロチップあるいはトランスポンダを装備することができ、随時追加情報、場所、履歴、所有者を記録することができる。個人データはすべてロック可能なＥＰＣクレジットカード上に呼び出すことができる。コイン、紙幣、クレジットカードの破壊の場合には、データと値が回復できる故意でない破壊の場合、あるいはデータと値の犯罪的破壊の場合には、データと値は公式な宣言までブロックされる。したがって、コイン、紙幣およびクレジットカードの価値は公式に無価値にするか再び有効にすることができる。すべてのコインと紙幣の取引を携帯電話でフォローすることができ、インターネットによって検知することができる。通貨の偽造はもはや不可能である。
【請求項６３】
（携帯電話）ラジオ・インターフェースおよびインターネットサーバは、かなり特別の履歴のキャッシュを有し、これは完全に異なる基準（タイプ、時間、距離、量、コスト、個々の優先度）に応じて、ＥＰＣタグ（金銭、製品）からのトランザクションをすべて登録し、管理し、表示する。携帯電話が失われても、誰でも転送されたＥＰＣタグを引き続いてフォローし、チェックすることができる。他の携帯電話あるいはＥＰＣタグ自身の中のキャッシュは保持される。なぜならそれらはユーザーの不明確なナンバーのためにそれらのナンバーを記憶しロックするからである。
【請求項６４】
ループ上のナンバーは目に見えるかあるいは目に見えないかもしれない。他の認識法により物理的に認識可能で、それら自身がループであるか、またはループがナンバーである。情報部分あるいは全体が関数、コード、タスク、義務、権利、仕様書と組み合わされる。
【請求項６５】
環境保護および誓約セキュリティの理由で、売られた時に製品はすべて、購入者と所有者へ、ループのコード番号と関係付けられる。（公共の）缶廃棄の場合、ごみ捨て場、または破壊の場合、発信機はそれぞれのループ（ＥＰＣタグ）を登録することができる。この物質フローあるいは製品、ブランドのロジスティックスのシナリオ全体から、会社は処理され売ることができる。
【請求項６６】
製品は内部または外部電子施錠システムによって管理することができる。多くがキーとロックで１ユニットを形成する。ループは結局、異なる（セットできる）ナンバーを所有することができる。すなわち携帯電話、指紋センサー、ビデオカメラ（それらはループとナンバーを備えた他の製品を備え、ロッキング、認可あるいは他の機能を有している）は１ユニットを形成するか、当然別々に個々に存在し、使用し、採用することができる。例えば携帯電話、カメラ、テープレコーダーは乗り物、劇場、コンサート会場、講義場所、スポーツイベント会場などに置くことができる。
【請求項６７】
すべての個人あるいは公共建築においては、ＲＦＩＤ識別発信機はＥＰＣタグを登録して設置することができる。したがって、駅の玄関ホール、あるいはアウトバーン、および空港ターミナルでは、識別発信機は固定され、または移動ユニットとして任意の携帯電話を介して移動することができる。
【請求項６８】
ロック・ループＤＳＳが装備され認可された製品は、インターネットの認可、銀行業務、財産、法律的なアクセス、あるいは投票、選挙などに使用されることができる。携帯電話などの上の特別のボタンにより、ＥＰＣタグが１ｃｍから１０ｃｍあるいは１ｍの距離で情報を得ることを可能にする。この情報は時間、長さ、サイト、インデックス、重要性、将来および希望により管理キャッシュに記憶される。
【請求項６９】
携帯電話上の特別のボタンあるいは機能は、ラジオとＴＶのチャンネルとボリュームを動かし、アラームを発し、あるいはアレルギーのような危険のための高電圧衝撃（ある種のＥＰＣタグあるいは対応するＥＰＣタグの場合）、武器プロセッサー、あるいは危険人物に対し、たとえば、犬などの動物の解放を行うことができる。
【請求項７０】
携帯電話によるロック・ループＤＳＳでは、ＰＤＡ、ラップトップ・インターフェース特殊サービスは、友人および敵の配置のために設定され、近づいたり離れたりした場合、たとえば、ロックされた電気的フィールドに入った場合に、アラームを発し、または他の信号が発生される。
【請求項７１】
ループまたはＥＰＣのタグ（チップ）のためのロッキング／認可は、個々にあるいはグループの製品（例えば、特別な宣伝のための、道路、モール、バス、トロリー、列車など）について調節可能であり、携帯電話のマイク付きヘッドホンは個々の視界ポイントによって調節することができる。あるいは、武器を持った犯罪者が現われる場合にアラームを発し、あるいは衛星にコントロールされ、移動または旅行が可能である。ボタンまたは機能は、テレビ、ラジオ、ＲＦＩＤ、電話あるいはラジオ受信のために、携帯電話かヘッドセットの調節をする。
【請求項７２】
ビデオあるいは写真記録法（フラッシュを備えた）での周辺の即時の、あるいは瞬間的な証拠を記録し、ＥＰＣタグはインターネット上の著作権保護を備えたナンバーで直接ロックされる。これは、単純で精巧な「時間証拠」であり、確実性および証拠の標準になる。
【請求項７３】
乗り物あるいはＥＰＣ追跡およびロッキングのスタンド・アロンの解決策を備えた携帯電話（ラジオ・インターフェース）のコンビネーション。ガレージ・ドア・オープナ、カメラなどのような補助機能も、さらに統合される。
【請求項７４】
すべての（例えばデータ保護と認可のために）インターネット上のナンバーを有する、または有しないループは、それ自身ロック可能であるか、またはインターネット・サイト上で、彼の失われた製品をすべてロックし公表することができ、アラームで追跡し、種々様々のパーティーへ報告することができる。ラジオ・インターフェース（携帯電話）およびすべてのＧＳＭ、Ｗ−ＬＡＮトランスポンダはループおよびナンバーをすべて世界的に追跡する。
【請求項７５】
この特許のすべての請求項は、私のビデオヒットリスト特許の請求項と組み合わされる。
【請求項７６】
この特許の請求項、明細書の記載、文章、用語の組み合わせも可能である。
【発明の詳細な説明】
【技術分野】
【０００１】
本発明は１つのループ、あるいは複数のループであって、ロックされることができるか又は、０、１もしくは複数のロックまたはアルゴリズムで暗号化することができる物に関する。例えば、トランジスターを備えたマイクロチップは、閉鎖可能な電流スイッチング回路であり、トランジスターは閉鎖ロックであり、電流回路はループである。各ループおよび各ロックは、互いに１ユニットとして、インターネット上、もしくは携帯のポータル、または索引機能を有する他のデータベースに登録された多くの番号を有する。番号は、任意に製品に付すか、あるいはそれらと一体とされることができる。ロック内に保持され、結びつき、または一体とされたものは、ラジオインターフェースとして１以上の発信機、トランスポンダあるいはＧＳＭ−ＳＩＭカードチップであることができ、インターネット上、もしくは携帯のポータル上などに登録された１または複数の番号へ、信号を、好ましくは暗号化して送信／受信することができる。破壊、窃盗、横領あるいはその他同種のものが生じる場合、これらはアラームを発し、ループの位置を識別し、他のモバイルおよび／または他の静止ラジオ送信／受信ユニットに位置することができる。
【０００２】
セキュリティ解決の第一段あるいは第一レベルは、番号が破壊されてもされなくても、純粋に機械的−視覚的なものである：警官、ガレージ管理者および中古車バイヤーにとって、これは、自動車の（インターネット上での）法定所有権者を決定する最も単純な方法である。ナンバーを破壊して自動車を運転することはもはや不可能である。なぜなら、そのような人間は第２のセキュリティ工程により説明するべき多くことが有るからである。
【０００３】
安全解決策の第２の工程は、ループの破壊および中断に際して、アラームが、携帯電話、警察センターなどにインターネット番号を介して常に直ちに送られるということである。
【０００４】
この認可−、決定―、指示―、認可―、位置―、ロックおよび窃盗セキュリティーシステムを装備した任意の製品は、いつでも様々なＧＳＭ、ＧＰＳ、Ｗ−ＬＡＮ、ネットワーク適用範囲などによって位置されることができる。
乗り物あるいは他の製品は、もはや所有者の認可なしでは移動されることができない；
物理的な自動車の鍵はもはや必要なく、盗むことができない。なぜなら、コードまたは指紋を備えた携帯電話によって、所有者はいつでも乗り物を開錠し、始動することができ、また停止し、それをロックすることができるからである。
【０００５】
このコンビネーションの特徴−
故意ならびに無意識にロック可能なループ、ハット、キャップ、ボールあるいは、一つ、複数あるいはゼロのロックを備えたボックス、ラッチ、バーあるいは障壁であって、一時的、可変の、または暗号化されたライセンスナンバーおよび／または数、英数字、または単なるバーコードを、インターネットあるいは携帯電話ポータル上で登録することができ、また、窃盗か犯罪の力および／または他の小さな物理的な知覚の影響によって破壊された時、アラームを発する−スポーク、ハブ、シフトレバーなどを介して自転車またはバイク；キックボード；自動車；ボート；飛行機；物的財産；スーツケース；カセット；携帯電話；コンピューター；ラップトップ；テレビ；プロジェクター；（電気的）装置、任意のケーブルあるいは（手持ち式）武器；クロック／時計；衣類；貞操帯、ベルトおよび人間または動物の四肢；植物；ねじ、ナット、爪、針、スレッド、ボタン、パッケージ、ハウジング；またスキー・バインディングに使用することができ、またチェーンや標準のロックに取り付けることができる。それは電気的なスイッチング装置を接続または切断する電気回路を装備することができ、発信機および／またはチップを有することができる。これは、インターネット中で、あるいは携帯電話ポータルあるいは他のデータベースに登録されたナンバーに（暗号化された）信号を送る。
【０００６】
ナンバー、ロックおよびループ、並びに発信機および／またはチップの配置は容易に構成されることができ、それらが損傷することなく何年も機能し、少しの損傷あるいは傷害で、破壊されるか、アラームを発するような別の機能を有する。ループ、ナンバー、電気回路は、さらに、例えばウォッチフェイスのようなナンバーとユニットを形成することができる。ロック／ループはそれ自体そのようなユニットを形成することができ、並びに任意の他の配置を、ループ、例えばねじ、ナット、爪、針、スレッド、ボタン、ロッド、リベット、リング、プレート、ボールまたはループとナンバーを備えたボックスと形成することができる。さらに、ボールまたはボックスは、無線伝送を備えた、あるいはその無線伝送のない通常のキーシステムでさらにロックすることができる；ボールまたはボックスのケーブルからループとして生じ、これは保護された発信機／トランスポンダまたは発信機をボールまたはボックス自身の内部に有している。
インターネット番号を備えたロック可能なループのオリジナルな原理は、セイフティーバインディングに関する、ＷＯ  ０２／０６２４３２（米国特許公報第２００４／００４１３６５番）の特許出願に記述されたそれに似ている。
【０００７】
「適正なアタッチメントを取り付けた回転折りたたみレバーをクランプ部分１５のプロジェクションループ３７上を回転させ、小さなロック１００手段によりロックする。小さなロックで、分離されたクランピング部分およびクランプされた部分は、再び集められるのを防ぐことができる；このように、優れた窃盗防止機構を有している。ループ上、安全バインディングあるいはインターフェースの目立つ場所に、ナンバー、英数字あるいはバーコード３９が記載され、これはインターネット上のメーカーのリスト４０中に登録され、所有者／法律上認識された購入者は、彼の所有物を彼自身で保護する可能性、または彼の名前で保護することができる。このように、盗まれたセイフティーバインディング／インターフェースを迅速に同定することができる。これは非常に目立つループとそれに伴うコードが、ロックが犯罪的に除去される場合に破壊されるからである。現在では、保険業者はインターフェースを有する個々の事故について統計的な証明を得るため、保険会社は事故の場合には、制裁行為を取ることができる；我々は、単に登録された事故のみを真の事故として受け入れることができる。なぜなら、すべてのスノボード事故は新規なインターフェイスに関連して統計的に証明することができ、そうでなければ、それは不正であろう。さらに、非常に容易に、アジアおよび東ヨーロッパによる模倣を防ぐことができる。コイン、紙幣およびクレジットカードは、同様に、（ロック可能）ループ、マイクロチップあるいは時間、場所、過去、所有者に関するトランスポンダおよび店追加情報を装備することができる。クレジットカードすべてにおいては、個人のデータがアクセス可能である。
【０００８】
コイン、紙幣あるいはクレジットカードが故意でなく破損されるか破壊される場合、データと価値は回復するか、あるいは犯罪の破壊の場合には、説明がなされるまで防止することができる。  したがって、コイン、紙幣あるいはクレジットカードの価値は公式に無価値にしたり、有効にしたりすることができる。  ループは（ねじおよび／またはナットでの）ロック、ループまたはロックで、ロックするかあるいは開くことができ、または連続的にあるいは平行して、および／または組み合わせてロックし、暗号化することができる。ロックはループに、ループ上に、ループのために、またはループの代わりに付けることができ、また逆もできる。ループは明るく色づけした終了を有している。ループあるいはＥＰＣタグへの光または音声信号は、ラジオ・インターフェース（携帯電話）への接続を示す。
【０００９】
ループ上のナンバーは、１ｍｍ、または０．５ｍｍ、０．３ｍｍ、０．１ｍｍ、０．０５ｍｍ、０．０３ｍｍまたは０．０１ｍｍのレーザーで連続的又は非連続的に刻印される。自転車については、（クリップで）ループはフレームに、またはフレーム内に固定され、あるいは他の要素（例えばハブ、車軸、リム、サドル、ステアリング装置、グリップ、ブレーキ、タイヤ）と一体化され、それら自身がループにより、またはロックになることができる。インターネットナンバーを備えたロック可能なループは、ＲＦＩＤ−ＥＰＣタグ（データ機密保護、ディーラーのための安全および他の多くの理由のため）としてすべての製品と一体化することができる。
【００１０】
現在の技術に対する新規性の説明
ロック・ループ（ロッキング）とラジオだけの間には、大きな違いが存在する。ＬＬの特徴は、ラジオの特徴（インターネット中のナンバーを呼ぶ）によってさらに発展される。下記によって指摘されるように、両方とも創造性があり新規である。すべての新製品、ラジオの特徴およびインターネット上のナンバーのみを備えたものをはじめとするすべての新規な製品は、本出願を侵害する。たとえば、ラップトップおよびＥＰＣタグ（携帯電話などに基づく証明が行われるもの）さえ侵害する。確かに、インターネット中で上に呼ぶナンバーを備えたすべての自己ロック可能な製品は、この特許出願に含まれる。ラップトップに関しては、それらは今、携帯電話と同じ機能、特徴およびチップ（また同じモレキュール）を有している。しかし、そのような信号伝送（検知等、ロッキング、あるいは切断）は、Ｃｅｎｔｒｉｎｏチップセットを装備したラップトップで行うことができる；本出願は、この目的のみのためではなく、ラップトップ、バインディング／リンケージ、乗り物などにも向けられる。携帯電話は、そのような（ＬＬ）ラジオ特徴を有さず、トラック自身に言及せず、自身にロック信号を送信することはなかった；
【００１１】
ラップトップなどの場合には、それらがまだそれを有していなかった。また、今、ここで請求されるように、それらはそれ（Ｃｅｎｔｒｉｎｏ（登録商標）チップセットおよびＢＩＯＳ中にＴｈｅｆｔ  Ｇｕａｒｄ（登録商標）ソフトウェア）を有している。（ＬＬ）ラジオ特徴は新しい。また、それはラップトップについても新しい；現在利用可能な（ＷＡＰ）携帯電話では、そのような（意図的なロッキング／開始そして次にトラッキングの）信号伝送は、まだ全く存在しない。ただし、それはすぐに我々により利用可能となる。特許は、新しいものをクレームする。例えばラップトップ・メーカーのような、ラップトップ上の（ＬＬ）ラジオ特徴が最先端技術であると主張する人は無遠慮である。それが携帯電話として、同じモレキュール、周波数および特徴で機能し、Ｔｈｅｆｔ  Ｇｕａｒｄを備えた最良の解決策を達成しても、それは新規である。Ｃｅｎｔｒｉｎｏを有するラップトップと同じく、それは新規で、進歩性がある。
【００１２】
私は請求項を他の方法で記載することができる：ＵＭＴＳを備えた、またはこれを介する（ＬＬ）ラジオ特徴および／または第４世代携帯電話、これはまだ存在しない。周波数は既存であり、モレキュールのような最先端技術であるので、答えは否定的である。すべてがモレキュールと波から成る場合、何が特許となりうるのか。何もなり得ない。幸運にも、定義によって、新しく、創造性があり、商業的に販売可能であれば、すべてのもの、すべてのコンビネーションの特許を取ることができる。インターネット番号に信号を送るＣｅｎｔｒｉｎｏラップトップ上のナンバーを備えたロック・ループは新規である。さらに、このＬＬ特徴は第４世代携帯電話においても新規である。すべてのロック可能な（しかしロック不能でない）トレース可能な現在利用可能な携帯電話、およびＥＰＣタグも本発明に属する。
【００１３】
特に、私の新規な発明は、ＬＬ特徴を備えた第４世代携帯電話をクレームすることができる。なぜなら、本出願の請求の範囲はたとえば、コンピューターおよび携帯電話のような電子機器のＬＬ特徴、並びにＬＬ特徴を有する新製品をクレームするからである。私はモバイルのＩＢＭ  ＳｗｉｔｚｅｒｌａｎｄおよびＳｗｉｓｓｃｏｍ  Ｍｏｂｉｌｅと連絡をとった。私は、再び他の新しい後続の世代開発について携帯電話メーカーに質問する必要がないし、彼らに情報を共有してくれるように依頼する必要はない。なぜなら、ＬＬ特徴を有するすべての新規な製品は、次世代の製品でさえ、この特許出願によって与えられた保護の範囲内にあるからである。
【００１４】
私は、このループ−インターネット・ナンバー特許にある宣言としてここでこれを加える。最先端技術のものとしてホーム閉鎖用のＷＡＰ携帯電話および電子フート・シャックルを考慮することができ、インターネット中のナンバーを備えたロック可能なループの新規性に影響することがある。しかしながら、これらのフート・シャックルは、ループ、ラップトップ、自転車または乗り物の場合のようにモニタリングおよびとりわけ窃盗防止のために、ほとんどそれら自身の上にナンバーを有していない。とにかく、これらの電子シャックルはロックすることができないか、特に、自分のラジオ装置でロックを解除することができない；それらは純粋に反対である。他の権限を有する人のみが（アラームを引き起こすことなく）、ロックを解除することができる。
【００１５】
それは完全に論理的であり、理解可能であり、不公平ではない。このＬＬ特徴を備えたＷ−ＬＡＮ特徴を備えた新しいラップトップ、第４世代携帯電話、現在の携帯電話およびＥＰＣタグも、ライセンスを必要とする。これらの新機能を備えた新製品はすべて、この特許のクレームを侵害する。インターネット番号を備えたちょうど（新しい）自動ロックのマイクロチップは恐らく記載されることができる。コーラ缶の上のＥＰＣタグ−現在の世代が既に最後で最良なので、新規な次世代のものはおそらく無いであろう−は新規ではない。しかし、データ保護と認可の理由でのズボンのような衣服中のＥＰＣタグは、確実に新規である。インターネット上のナンバーを備えた（意図的または非意図的に）自己ロック可能なループにと対照的に、私だけが少数の態様について請求することができた。
【００１６】
法律上許容可能なロケーションのため、データ保護と認可の理由のために、ロックすることができた現在利用可能な携帯電話も本発明により保護される。そのような正確な特徴は、まだ携帯電話で存在しない。しかしながら、本発明の前に存在していたＷＡＰ携帯電話はカバーされない。しかし、それらがすべてのロック・ループ機能でそれらをロックすることができるばすぐに、ライセンスを払わなければならない。
【００１７】
確かに、フェニックスのＴｈｅｆｔ  Ｇｕａｒｄはラップトップをロックする。したがって、ラップトップ・メーカーは新しいロック・ループ機能にロイヤルティを払わなければならない。（データ機密保護と認可の理由のために）自己に実行されたロッキングをする場合には、携帯電話およびＥＰＣタグでも同じである。データ保護の理由のためでさえ、自己ロックのＥＰＣタグは以前に存在しなかった。
【００１８】
発明の説明
次の説明は、さらに新しいラジオ特徴（インテルＣｅｎｔｒｉｎｏペンティアムＭプロセッサー）を備えたラップトップについて、私の以前に提出された特許出願が新しいだけでなく創造性があったことを証明する。もともと、ＤＳＳ解決策は、窃盗からの保護のためにバインディング／リンクが形成され、ループは小さなロックでロックすることができる。これが提供されたセキュリティは、見つかるには小さすぎ、ループ上のナンバーでよりよい保護を達成することができた。なぜなら、ループの窃盗および／または破壊の場合には、完全なナンバーのない製品を有している泥棒は同僚や役人のために多大の説明の必要がアルからである。自転車では、同様の解決策のために−フレームに付され、インターネット上で登録されたナンバーを有するリング−が名前ＣＹＣＬＯの下で利用可能だった。（ロック可能な）ループが（ロック可能でない）リングではないので、これは従属クレームとしてインターフェースセイフティーバインディング特許にもともと含まれていた。
【００１９】
その後、私は、アラーム目的のためにループに電気回路を置くことができることを認識し発見した。警告信号送信用の発信機を取り付けることができ、マイクロチップ（それ自体は電気回路および／またはループで構成される）を含むことができる。私は、さらに、インターネット上のナンバーを備えたチップの送信／発信機解決策が、インターネット上にナンバーを有するループの特徴であることを見いだした。それは新規な製品においてＤＳＳベースのロック・ループおよび無限の多くの他の特徴のためのさらなる基礎として使用することができる。そのような送信／発信機解決策（ラップトップ、ＷＡＰ携帯電話、プロジェクターなどのような）をまださらに有していない他の製品（電気的または非電気的）にもこれを取り付け、このロック・ループＤＳＳ特徴と一体化することができる。そのために、さらにラップトップのためのＣｅｎｔｒｉｎｏペンティアムＭプロセッサー・ラジオ特徴も発明された。
【００２０】
しかしながら、ループ・インターネット・ナンバー・ラジオ特徴は、さらに、プライバシー目的、データ保護などのためにこれらの装置をロック（またトラック）する重要な能力に関し、現在の携帯電話およびＥＰＣタグと同様に新しいラップトップなどでも新しい。２００２年６月１３日の特許出願の後、ＳｗｉｓｓＣｏｍモバイルは乗り物とラップトップの追跡システムに関して交渉された。
【００２１】
２００２年秋には、ダイムラークライスラーに示された。また、２００２年１２月に、ＩＢＭ  Ｓｗｉｔｚｅｒｌａｎｄはロッキングと検知の解決策としてラップトップへ小さなロック・ループボックスの一体化に関して連絡を受けた。それは小さなボックスとして販売されると思われた。２か月後に、インテルはそのＣｅｎｔｒｉｎｏラジオ特徴を介してロック・ループボックスの基礎を提供し、また、それの３か月未満以内に、そのＴＧ製品を介してフィーニックス・テクノロジーズは、ロック・ループボックスを実行するために必要とされるソフトウェアを提起した。私は２００２年６月１３日にこのロック・ループボックスのすべての特徴、一方では、ロッキングのために必要なラジオ特徴および他方ではソフトウェアについて出願した。当然、それはさらにインターネット・ウェブサイト、ホットラインなどを必要とする。
【００２２】
ラップトップ中の発信機だけのための特許出願は、恐らくさらに創造性がある、しかしＷ−Ｌａｎ  Ｃｅｎｔｒｉｎｏチップ以外に、私は、ラップトップ中のそのような統合ラジオ方式を知らない。なぜならすべての従前の物はすべてプラグ・イン・カードだけだったので。および他方では、インテル、フィーニックス・テクノロジーズなど、および他のラップトップ・メーカー例えばＩＢＭは、そのような解決策の特許を取ることを思わなかった。他の発明者がそのような特許を出願しているとしたら、インテル、ＩＢＭ、および他のすべてのラップトップ・メーカーはこの特許を見つけて示さなければならない。とにかく、この「ラップトップ中の発信機」は「インターネット上のナンバーと発信機とのループ」とは異なる特徴である；したがって、ラップトップトラッキングサービスは他の発明者、ライセンスと同様に出願人にも払わなければならない。ＰＣＭＣＩＡスロットまたはプラグ・イン・カードにラジオ送信機を備えた備えたラップトップは、本発明を侵害しない。なぜなら、それらは不変的に設置された送信機ではなく、従来技術における物だからである。しかしながら、この事実は、Ｃｅｎｔｒｉｎｏラップトップトラッキングサービスがこの特許を侵害すると私になおさら確信させる。
【００２３】
本出願はＤＳＳについてクレームし、単なるループおよびインターネット上のナンバーを備えた窃盗セキュリティーシステムに関する物ではない。すべての請求項を見れば、携帯電話とラップトップのための無限の機能（ロックキング、ブロッキング、接続、通知、インプリメント、管理するなど）が知られる。したがって、ＤＳＳを有しないＣｅｎｔｒｉｎｏラップトップはループ・インターネット・ナンバー送信クレームを無効にするとの反論は無効である。今後、すべてのラップトップはＴＧ製品を有し、このＤＳＳロックフィーチャを侵害する。
【００２４】
最悪のケースでは、私は、さらにここでなされた主張を強くするために言葉の正確な「洗練された」ねん回さえ作ることができる。私の第１の特許の最初の２行は：複数のロックでロック可能ない１以上のロックでロック可能なループ（それは１ユニットとしてインターネット上で登録されたナンバーを有する）。「窃盗セキュリティーシステム」、私は特許弁理士Ｓｐｉｅｒｅｎｂｕｒｇ氏がそのような方法でそれを構成したので非常に悩まされた。しかし、ラップトップの最終的な機能が単に情報を盗むことができないことを保証することしか含んでいないので、私はこれを非常によく受け入れることができる。トランジスターとマイクロチップは閉鎖可能であるかまたはロック可能であり、操作可能な回路またはループである。したがって、私が、請求項１の最初の２行でそれを構成したように、ロックとしてのチップ中のトランジスターは回路またはループを正確に閉じてロックする。これらのチップがループ（回路）およびロック（トランジスター）からなり、それ自身でインターネット上のナンバーに信号を送ることができ、その内部にナンバーを保持していることと等価であることが明らかになった。
【００２５】
私は、ラップトップのためのループ・インターネット・ナンバー・ラジオ特徴を発明した。しかしながら、ＷＡＰ携帯電話が同じループ・インターネット・ナンバー・ラジオ特徴を既に所有したので、これが創造性があるかどうかは明らかではない。しかしこれは携帯電話向けであり、ループの場合にはラップトップと同じモレキュール、波長および周波数であった。したがって、同じモレキュール、波長および周波数（さらにループの場合の）を備えた何かは発明することができない。あるいは、創意的に作用していない。ループの場合をはじめとして、進歩性を有するためには別の特徴、あるいは特徴の別のコンビネーションでなければならない。ラップトップは携帯電話のみの場合とは異なる特徴または異なる特徴の組み合わせを有している。なぜならそれらは異なる名前を有し、インターネット（ＷＡＰ、ＧＳＮあるいは（Ｗ−ＬＡＮ）トランスポンダを有していないか、アンテナを有していない）上で直接伝達することができず、他のいくつかの機能を装備し、そのために、それは、その理由ゆえに既に進歩性を有する。
【００２６】
Ｃｅｎｔｒｉｎｏラップトップに似ているＷ−ＬＡＮ特徴を備えた第１の携帯電話は、２００３の初めにモトローラにより開始された。モトローラはさらに私にライセンスを払わなければならなかったからである。この新機能は私が発明する以前には存在しなかった。これは、正確に私が第４世代携帯電話について新規性に関して既に上に書いたのと同じである。したがって、実際にすべての新製品（ラジオまたはロッキングの特徴がなくても）について、インターネットの上にナンバーを備えたループを有しているものについて、私にライセンスを払わなければならない。これに必要な計算ロジスティクスは単純である。すべての製品はＥＰＣタグを受容する。また、このために私にライセンスを払わなければならない。
【００２７】
この特許出願は、Ｃｅｎｔｒｉｎｏを備えたラップトップのような製品用の、インターネット上のナンバーを備えたロック可能なループ、デバイスのためのロッキングおよびトラッキング、並びにＥＰＣタグ、携帯電話のための同じ機能、乗り物（自動車および自転車）のためのスタンド・アロンの解決策、およびバインディング／タイに関する。よりよい分かりやすさについては、ロック・ループ特許は２つのカテゴリーに分類され、我々によって新しく確立された次の特徴により概説される：
【００２８】
装置：
ナンバー（他の情報を備えた）を備えたループ（チップ）、
データベース（インターネット、そして携帯電話などでアクセス可能なすべて）中のナンバー、  
ループ自体、ロック可能で、開けられる（機械的に電子的に局部的に一時的に、適法に）、またはこれらなどのコンビネーション）。
可視のナンバー（インターネット、携帯電話ディスプレイあるいは製品上で、例えばシリアルナンバーとして）
【００２９】
方法：
ナンバー（トランスポンダ（つまりラジオ特徴）を通して他の情報とともに）を送り受け取ること。
データベース中の情報（ナンバー）と（ループ）ナンバーの比較
データベース中で識別されたナンバーが（破壊されるかまたは）特徴づけた場合：
警告信号（またはループ（つまりＧＳＭ、ＧＰＳあるいは規則的なラジオの上のループのトラッキングのようなロック・ループ機構あるいは他の機能）のロック）
【００３０】
同じラジオあるいはＬＬ特徴を備えた例えばＷＡＰ携帯電話および他のすべての製品について誰かが同じ特許を出していた場合には、この特許は既に誰か他の人に許可されたことになる。一方、ラップトップの場合には、ＬＬ特徴と同様にラジオ特徴も最先端技術として指定することができない。当然、誰かがラップトップのためにのみ、ラジオ特徴などを適用することができた。わずかに異なる機能を備えた同様の、窃盗防止システムのためでも、ラップトップ・メーカーが２度も３度もライセンスを払わなければならないということでありえる。私は、この特許の製品に用途がないことについて言及していなかったことに対して非難されることができない。一方では、製品の広い類別が数えあげられる；他方では、どのような製品にこれらの進歩性および機能が組み込まれ、どのような製品に特許の保護が及ばないかは不明である。例えば、私は、ＥＰＣタグのロッキングが特許権保護をしていないことに気づかなかった。
【００３１】
もちろん、この特許の範囲は非常に広く、最終的にＷＡＰ携帯電話さえカバーされる。私がループ・インターネット・ナンバー発明について考えて、ＷＡＰ携帯電話がまだ売られていなかった時、１９９８年に他の特許出願にそれについて記述したからである。誰も、恐らく早くトラッキングし、ロッキングする特徴を備えたＷＡＰ携帯電話の特許を取らなかった；しかしながら、それらから、私はもはやライセンスを要求することができない。
【００３２】
さらに、ＧＳＭネットワーク上を同時に（それ自身）ロックし追跡することができる携帯電話はまだない。なるほど、そのセッティングで、ＰＩＮコードが不正確に３回入力される場合、携帯電話（単なるＳＩＭカードではない）はロックすることができる、しかし、ラップトップの場合には、まだそれを追跡することができないので、装置はなくなってしまう。
【００３３】
他のある不測の事柄に私の特許弁理士は注意を喚起した。恐らく誰か他の人、あるいは確かにある産業はこの特許を既に申請したことがある。同じように既に述べた、フェニックス・テクノロジーズ、インテル、ＳｗｉｓｓＣｏｍモバイルおよびＩＢＭ  Ｓｗｉｔｚｅｒｌａｎｄはこのようなことをは知らなかった。インテルは、ラップトップ・メーカーのための特許の申請に興味を有していない。それはインテルがラップトップではなくチップだけを生産するので、そのような出願を申請しＣｅｎｔｒｉｎｏ機能を有する物を販売したことを忘れ、見落とていたからである。ラップトップ・メーカーは彼ら自身、私が発明をし、それを申請した時にＣｅｎｔｒｉｎｏ機能を買い統合する機会を提供された時、それの特許を取得しようと思わなかった。
【図面の簡単な説明】
【００３４】
【図１】図１は本発明の態様を示す図である。
【図２】図２は本発明の態様を示す図である。
【図３】図３は本発明の態様を示す図である。
【符号の説明】
【００３５】
使用される用語のインデックス
１  ナンバーを備えたループ
２  ナンバーを備えた、インターネットあるいは他のデータ・ベース
３  乗り物用のアローン解決策の条件
４  ＲＦＩＤ、ＧＳＭ、ＧＰＳ。Ｗ−ＬＡＮトランスポンダ  
５  ＲＦＩＤ、ＧＳＭ、ＧＰＳ−、Ｗ−ＬＡＮトランスポンダのための５本のアンテナ
６  通信装置
７  中央処理装置
８  モデム
９  プログラム可能な姿勢
１０  サイレン
１１  音響および視覚的アラート
１２  トランク中のロック・ループ・ユニット
１３  ドア中のロック・ループ・ユニット
１４  グローブ引出しの中のロック・ループ・ユニット
１５  ロック・ループ・ユニット
１６  セントラルロッキング・ユニット
１７  計器盤警報システム
１８  エンジン管理および鎖錠装置システム
１９  事故、パニック警報システム
２０  サイレン・ホーン
２１  乗り物のカジュアルスタイリング
２２  他の状態のアローン解決用のページャー
２３  乗り物中の他のＥＰＣタグへのアンテナ
２４  路傍、橋などでのＲＦＩＤトランスポンダ
２５  ＧＰＳ衛星
２６  インターネットあるいは他のデータ・ベース
２７  ＧＳＭ送信プラントおよび／またはトランスポンダ
２８  ＧＳＭの携帯電話
２９  ＲＦＩＤ  ＥＰＣタグ
３０  ロック・ループ・ナンバー本社
４０  マイクロチップを備えたねじ
４１  マイクロチップ
４２  ループ
４３  ループを備えた機械的なロック
４４  ねじのスレッド
４５  バイクフレーム用のダブルループ・クリップ
４６  ねじの挿入
４７  ナット／マザー
４８  自転車番号
４９  自転車のクリップのまわりの開口
５０  ロックまたはケーブルのためのループ
５２  自転車などのための３倍のロックおよび／またはループ
５３  キー
５４  ラッチ・プレート
５５  ロック間のケーブル接続
【図１】
2006514348.tif 000002
【図２】
2006514348.tif 000003
【図３】
2006514348.tif 000004